(57)【要約】【課題】包装箱を開封すると同時に展示ディスプレイ用箱体として機能するようにした箱体であって、展示ディスプレイ専用に製作された展示用箱と同等の広告展示機能を備えたアイキャッチ用ツール及び販売ツールとして、商品に関する情報や広告情報を顧客にインパクトを持って伝達できるようにした紙製ディスプレイ兼用包装箱を提供する。【解決手段】天面部１と底面部２と筒状側面部３とから構成された封鎖状態の箱本体Ａにおいて、筒状側面部３に沿って底面部２に対して離間して開封用のテープ状切離部４が設けられ、該テープ状切離部４を切り取り除去して、箱本体Ａを天面部１と上部筒状側面部３ａとからなる上部箱体Ａ1 と、下部筒状側面部３ｂと底面部２とからなる下部箱体Ａ2 とに切り離し開封可能な紙製包装箱であって、下部箱体Ａ2 の内面側に上部筒状側面部３ａの上端部より高く天面部の方向に伸びる揺動可能な揺動ディスプレイ板５を備える。【選択図】図１
2007161330.tif 000002
【特許請求の範囲】
【請求項１】
天面部１と底面部２と側面部３とから構成された封鎖状態の箱本体Ａにおいて、側面部３に沿って底面部２に対して離間して開封用のテープ状切離部４が設けられ、該テープ状切離部４を切り取り除去することにより、箱本体Ａを天面部１と上部側面部３ａとからなる上部箱体Ａ1 と、下部側面部３ｂと底面部２とからなる下部箱体Ａ2 とに切り離し開封可能な紙製包装箱であって、下部箱体Ａ2 の内面側に、上部側面部３ａの上端部より高く天面部の方向に細長く伸びる揺動可能な揺動ディスプレイ板５が設けられていることを特徴とする紙製ディスプレイ兼用包装箱。
【請求項２】
前記揺動ディスプレイ板５の基部が、前記下部箱体Ａ2 を構成する下部側面部３ｂを形成する側面板のうちの１つ以上の側面板に連設されて設けられていることを特徴とする請求項１記載の紙製ディスプレイ兼用包装箱。
【請求項３】
前記揺動ディスプレイ板５の基部が、前記下部箱体Ａ2 を構成する下部側面部３ｂを形成する側面板のうちの１つ以上の側面板の内面に貼着にて設けられていることを特徴とする請求項１記載の紙製ディスプレイ兼用包装箱。
【請求項４】
前記揺動ディスプレイ板５の基部が、前記下部箱体Ａ2 を構成する底面部２を形成する底面板の内面に貼着にて設けられていることを特徴とする請求項１記載の紙製ディスプレイ兼用包装箱。
【請求項５】
正面板１１の両端に折目ａを介して両側面板１２、１２を連設し、該両側面板のうちのいずれか１方の側面板１２の折目ａと対向する端部に折目ｂを介して背面板１３を連設し、該背面板１３の折目ｂと対向する端部に折目ｃを介して貼着板１４を側面部３として連設し、前記側面部３の下端に折目ｄを介して底面部形成板を、上端に折目ｅを介して天面部形成板をそれぞれ連設したブランクシートを用いて、前記両側側面板のうち他方の側面板１２の内面に前記貼着板１４を重ね合わせて部分的に貼着して形成した天面部１と底面部２と側面部３とから構成された封鎖状態の箱本体Ａであって、側面部に沿って連続する開封用のテープ状切離部４が底面部２に対して離間して設けられ、該テープ状切離部４を切り取り除去することにより、箱本体Ａを天面部１と上部側面部３ａとからなる上部箱体Ａ1 と、下部側面部３ｂと底面部２とからなる下部箱体Ａ2 とに切り離し開封可能な紙製包装箱であって、前記下部箱体Ａ2 の内面に、上部側面部３ａの上端部より高く天面部の方向に細長く伸びる揺動可能な揺動ディスプレイ板５が、前記背面板１３に折目ｃを介して連設された前記貼着板１４の領域内に、該貼着板１４から部分的に切り離し可能に、前記折目ｃを介して連設されていることを特徴とする紙製ディスプレイ兼用包装箱。
【請求項６】
上記請求項５記載の紙製ディスプレイ兼用包装箱において、前記底面部形成板が、前記側面部の正面板１１、両側面板１２、１２、背面板１３の下端に各々折目ｄを介して連設したそれぞれ底面板１１ｂ、１２ｂ、１２ｂ、１３ｂと、該底面板１１ｂ、１３ｂに各々折目ｈを介して連設したそれぞれ三角形状板１１ｃ、１３ｃであることを特徴とする紙製ディスプレイ兼用包装箱。
【請求項７】
上記請求項５記載の紙製ディスプレイ兼用包装箱において、前記底面部形成板が、前記側面部の両側面板１２、１２、背面板１３の下端に各々折目ｄを介して連設したそれぞれ底面板１２ｂ、１２ｂ、１３ｄと、該底面板１３ｄに折目ｉを介して連設した差込板１３ｅと、該折目ｉに刻切した切込部１３ｆに差し込み係止する正面板１１の下端に突出した差込板１１ｄであることを特徴とする紙製ディスプレイ兼用包装箱。
【請求項８】
上記請求項５乃至７のいずれか１項記載の紙製ディスプレイ兼用包装箱において、前記
天面部形成板が、前記側面部の正面板１１又は背面板１３、両側面板１２、１２の上端に各々折目ｅを介して連設したそれぞれ天面板１６、天面フラップ板１２ａ、１２ａと、前記天面板１６の上端に折目ｇを介して連設した差込板１６ａであることを特徴とする紙製ディスプレイ兼用包装箱。
【請求項９】
上記請求項１乃至８のいずれか１項記載の紙製ディスプレイ兼用包装箱において、前記揺動ディスプレイ板５が、先端部寄りに重心を有することを特徴とする紙製ディスプレイ包装箱。
【発明の詳細な説明】
【技術分野】
【０００１】
本発明は、菓子や食料品、電気製品など各種の商品類を収納包装した箱体において、その箱体を利用して販売における商品情報や広告情報などを効果的に顧客に伝達することができるようにした紙製ディスプレイ兼用包装箱に関する。
【背景技術】
【０００２】
商品の収納包装や集積輸送用の箱体としては、各種の形体のものが開発されており、収納包装や集積輸送用以外の用途として、店頭に展示したり、販売するためのディスプレイとして利用できるようにしたディスプレイ兼用の包装箱があり、例えば、特開２０００−７２１３３号公報（特許文献１参照）などがある。
【０００３】
しかしながら、従来のディスプレイ兼用の包装箱は、開封して中身の商品類を取り出した後に、その包装箱をディスプレイとして組み立てる手間が掛かかるものであった。
【０００４】
以下に、本発明に関連する公知の特許文献を記載する。
【特許文献１】特開２０００−７２１３３号公報
【発明の開示】
【発明が解決しようとする課題】
【０００５】
本発明の課題は、収納包装、集積包装及び輸送機能と、展示ディスプレイ機能とを併せ持つ包装箱であり、包装箱を開封すると同時に展示ディスプレイ用箱体として機能するようにした箱体であって、展示ディスプレイ専用に製作された展示用箱と同等の広告展示機能を備えたアイキャッチ用ツール及び販売ツールとして、商品に関する情報や広告情報を顧客にインパクトを持って伝達できるようにした紙製ディスプレイ兼用包装箱を提供することにある。
【課題を解決するための手段】
【０００６】
本発明の請求項１に係る発明は、天面部１と底面部２と側面部３とから構成された封鎖状態の箱本体Ａにおいて、側面部３に沿って底面部２に対して離間して開封用のテープ状切離部４が設けられ、該テープ状切離部４を切り取り除去することにより、箱本体Ａを天面部１と上部側面部３ａとからなる上部箱体Ａ1 と、下部側面部３ｂと底面部２とからなる下部箱体Ａ2 とに切り離し開封可能な紙製包装箱であって、下部箱体Ａ2 の内面側に、下部側面部３ｂの上端部より高く天面部の方向に細長く伸びる揺動可能な揺動ディスプレイ板５が設けられていることを特徴とする紙製ディスプレイ兼用包装箱である。
【０００７】
本発明の請求項２に係る発明は、上記請求項１に係る紙製ディスプレイ兼用包装箱において、前記揺動ディスプレイ板５の基部が、前記下部箱体Ａ2 を構成する下部側面部３ｂを形成する側面板のうちの１つ以上の側面板に連設されて設けられていることを特徴とする紙製ディスプレイ兼用包装箱である。
【０００８】
本発明の請求項３に係る発明は、上記請求項１に係る紙製ディスプレイ兼用包装箱において、前記揺動ディスプレイ板５の基部が、前記下部箱体Ａ2 を構成する下部側面部３ｂを形成する側面板のうちの１つ以上の側面板の内面に貼着にて設けられていることを特徴とする紙製ディスプレイ兼用包装箱である。
【０００９】
本発明の請求項４に係る発明は、上記請求項１に係る紙製ディスプレイ兼用包装箱にお
いて、前記揺動ディスプレイ板５の基部が、前記下部箱体Ａ2 を構成する底面部２を形成する底面板の内面に貼着にて設けられていることを特徴とする紙製ディスプレイ兼用包装箱である。
【００１０】
本発明の請求項５に係る発明は、正面板１１の両端に折目ａを介して両側面板１２、１２を連設し、該両側面板のうちのいずれか１方の側面板１２の折目ａと対向する端部に折目ｂを介して背面板１３を連設し、該背面板１３の折目ｂと対向する端部に折目ｃを介して貼着板１４を連設した側面部３と、前記側面部の下端に折目ｄを介して底面部形成板を連設した底面部２と、上端に折目ｅを介して天面部形成板を連設した天面部１とから構成されるブランクシートを用いて、前記両側面板のうち他方の側面板１２の内面に前記貼着板１４を重ね合わせて部分的に貼着して形成した天面部１と底面部２と側面部３とから構成される封鎖状態の箱本体Ａであって、側面部３に沿って連続する開封用のテープ状切離部４が底面部２に対して離間して設けられ、該テープ状切離部４を切り取り除去することにより、箱本体Ａを天面部１と上部側面部３ａとからなる上部箱体Ａ1 と、下部側面部３ｂと底面部２とからなる下部箱体Ａ2 とに切り離し開封可能な紙製包装箱であって、前記下部箱体Ａ2 の内面に、下部側面部３ｂの上端部より高く天面部の方向に細長く伸びる揺動可能な揺動ディスプレイ板５が、前記背面板１３に折目ｃを介して連設された前記貼着板１４の領域内に、該貼着板１４から側面板１２に対して非貼着状態にて切り離し可能に前記折目ｃを介して連設されていることを特徴とする紙製ディスプレイ兼用包装箱である。
【００１１】
本発明の請求項６に係る発明は、上記請求項５に係る紙製ディスプレイ兼用包装箱において、前記底面部形成板が、前記側面部の正面板１１、両側面板１２、１２、背面板１３の下端に各々折目ｄを介して連設したそれぞれ底面板１１ｂ、１２ｂ、１２ｂ、１３ｂと、該底面板１１ｂ、１３ｂに各々折目ｈを介して連設したそれぞれ三角形状板１１ｃ、１３ｃであることを特徴とする紙製ディスプレイ兼用包装箱である。
【００１２】
本発明の請求項７に係る発明は、上記請求項５に係る紙製ディスプレイ兼用包装箱において、前記底面部形成板が、前記側面部の両側面板１２、１２、背面板１３の下端に各々折目ｄを介して連設したそれぞれ底面板１２ｂ、１２ｂ、１３ｄと、該底面板１３ｄに折目ｉを介して連設した差込板１３ｅと、該折目ｉに刻切した切込部１３ｆに差し込み係止する正面板１１の下端に突出した差込板１１ｄであることを特徴とする紙製ディスプレイ兼用包装箱である。
【００１３】
本発明の請求項８に係る発明は、上記請求項５乃至７のいずれか１項記載の紙製ディスプレイ兼用包装箱において、前記天面部形成板が、前記側面部の正面板１１又は背面板１３、両側面板１２、１２の上端に各々折目ｅを介して連設したそれぞれ天面板１６、天面フラップ板１２ａ、１２ａと、前記天面板１６の上端に折目ｇを介して連設した差込板１６ａであることを特徴とする紙製ディスプレイ兼用包装箱である。
【００１４】
本発明の請求項９に係る発明は、上記請求項１乃至８のいずれか１項に係る紙製ディスプレイ兼用包装箱において、前記揺動ディスプレイ板５が、先端部寄りに重心を有することを特徴とする紙製ディスプレイ包装箱である。
【発明の効果】
【００１５】
本発明の紙製ディスプレイ包装箱は、天面部１と底面部２と側面部３とから構成された封鎖状態の箱本体Ａの側面部３に沿って開封用のテープ状切離部４が設けられ、該テープ状切離部４を切り取り除去することにより、上部箱体Ａ1 と、下部箱体Ａ2 とに切り離し開封可能な紙製包装箱であって、下部箱体Ａ2 の内面側には、該下部箱体Ａ2 の上端部より高く天面部の方向に細長く伸びる揺動可能な揺動ディスプレイ板５が設けられている。
【００１６】
そのために、本発明の紙製ディスプレイ包装箱は、上部箱体Ａ1 と下部箱体Ａ2 とに切り離し開封すると同時に、下部箱体Ａ2 より、商品情報や広告情報を表面に印刷表示した揺動ディスプレイ板５（表示用板）が上方に突出した状態になる。
【００１７】
そして、紙製ディスプレイ包装箱内に収納包装されていた中身の商品を下部箱体Ａ2 内に載せることにより、該揺動ディスプレイ板５の先端部は、周りの風や振動によって、ゆらゆらと揺動して、商品のディスプレイ効果を醸しだすことができる。
【００１８】
そして、展示ディスプレイ専用に製作された展示用箱と同等の広告展示機能を備えたアイキャッチ用ツール及び販売ツールとして、商品に関する情報や広告情報を顧客にインパクトを持って伝達することができる。
【発明を実施するための最良の形態】
【００１９】
本発明の紙製ディスプレイ兼用包装箱の一つの実施の形態を、図１の全体斜視図に基づいて以下に詳細に説明する。
【００２０】
本発明のディスプレイ兼用包装箱は、図１に示すように、天面部１と、底面部２と、側面部３（筒状側面部）とから構成された閉鎖状態の箱本体Ａであり、内部には、ディスプレイ販売するための商品類が収納されている。
【００２１】
前記箱本体Ａは、紙によるシート材、又は紙を主体とするシート材により形成されていて、筒状の側面部３の筒形状は、特に限定されず、例えば、図１に示すように四角形筒状であってもよいし、あるいは円形筒状、楕円形筒状、又は三角形筒状、その他の多角形筒状であってもよい。
【００２２】
箱本体Ａの天面部１の形状も特に限定されず、例えば、図１に示すように平坦状であってもよいし、あるいは傾斜屋根型やおまぼこ型、ドーム型などであってもよい。
【００２３】
本発明における上記箱本体Ａは、前記筒状側面部３に沿って、リング状に開封用のテープ状切離部４が設けられていて、該テープ状切離部４を切り取り除去することにより、該箱本体Ａを、天面部１と上部筒状側面部３ａとからなる上部箱体Ａ1 と、下部筒状側面部３ｂと底面部２とからなる下部箱体Ａ2 とに切り離し開封可能となっている。
【００２４】
本発明のディスプレイ兼用包装箱は、上記箱本体Ａの内面側に、下部筒状側面部３ｂの上端部より高く天面部の方向に細長く伸びる揺動可能な揺動ディスプレイ板５が設けられているものである。なお、揺動ディスプレイ板５の形状や形態は、本発明においては特に限定されるものではない。
【００２５】
本発明のディスプレイ兼用包装箱においては、図１に示すように、前記揺動ディスプレイ板５は、その基部（下端部）が、下部箱体Ａ2 を構成する全ての下部筒状側面部３ｂ、３ｂ、３ｂ、３ｂのうちのいずれか１つ、又は２つ以上の側面部を形成する側面板に連設されて設けられている。又は、下部箱体Ａ2 を構成する全ての下部筒状側面部３ｂ、３ｂ、３ｂ、３ｂのうちのいずれか１つ、又は２つ以上の側面部を形成する側面板の内面に貼着又は金具止めにて設けられている。
【００２６】
本発明の紙製ディスプレイ包装箱は、図１に示すように、箱本体Ａの筒状側面部３に沿ってリング状に、切取線４ａ、４ａによって挟まれた開封用の細テープ状切離部４が設けられている。該テープ状切離部４の一個所には、例えば、図示するように、その幅方向（縦方向）にテープ状切離部４を切り取るきっかけとなる切込線４ａが刻切されている。
【００２７】
図１に示す紙製ディスプレイ兼用包装箱の箱本体Ａに設けたテープ状切離部４を、切取線４ａ、４ａに沿って引っ張りながら、切り取り除去することにより、紙製ディスプレイ兼用包装箱は、上部箱体Ａ1 と下部箱体Ａ2 とに分離する。
【００２８】
そして、図２に示すように、下部箱体Ａ2 は、上部箱体Ａ1 から切り離されて開封されて、下部箱体Ａ2 の下部筒状側面部３ｂ内面側には、該下部箱体Ａ2 の上端部より高く天面部の方向に細長く伸びる揺動可能な揺動ディスプレイ板５が立設した状態になる。
【００２９】
下部箱体Ａ2 内には、開封前の紙製ディスプレイ兼用包装箱内に収納包装されていた中身の商品を載せて負荷を掛け、下部箱体Ａ2 を固定することにより、揺動ディスプレイ板５はその先端部が、周りの風や振動によって、ゆらゆらと揺動して、商品のディスプレイ効果を醸しだす。これにより、展示ディスプレイ専用箱と同等の広告展示機能を備えたアイキャッチ用ツール及び販売ツールとして、商品に関する情報や広告情報を顧客にインパクトを持って伝達するディスプレイ用箱とする。
【００３０】
本発明のディスプレイ兼用包装箱の箱本体Ａの内面側に、下部筒状側面部３ｂの上端部より高く天面部の方向に細長く伸びる揺動可能な揺動ディスプレイ板５の他の形態としては、例えば、図３に示すようにツリー状、図４に示すように雪ダルマ状、あるいは図示しないが、長円状、半円状など、適宜な形状でよい。
【００３１】
次に、本発明のディスプレイ兼用包装箱の一例を、図５に示す包装箱の組み立て用ブランクシートに基づいて以下に詳細に説明する。
【００３２】
本発明のディスプレイ兼用包装箱の組み立て用ブランクシートは、図５に示すように、正面板１１の両端に折目ａを介して両側面板１２、１２が連設され、該両側面板１２、１２のうちのいずれか１方の側面板１２の折目ａと対向する端部に、折目ｂを介して背面板１３が連設されている。
【００３３】
前記背面板１３の折目ｂと対向する端部には、折目ｃを介して貼着板１４が連設されて筒状側面部３が構成され、前記筒状側面部の下端には、折目ｄを介して底面部形成板が連設されて底面部２が構成され、前記筒状側面部の上端には、折目ｅを介して天面部形成板が連設されて天面部１が構成されている。
【００３４】
図１に示す本発明のディスプレイ兼用包装箱の箱本体Ａは、図５に示す上記ブランクシートを用いて組み立てられ、両側面板１２、１２のうちの他方の側面板１２の内面に前記貼着板１４を重ね合わせて部分的に貼着して形成される正面板１１と両側面板１２、１２と背面板１３とからなる四角形筒状側面部３と、該筒状側面部３の下端の天面部形成板により形成される天面部１と、該筒状側面部３の下端の底面部形成板により形成される底面部２とから構成されている。
【００３５】
前記四角形筒状側面部３には、正面板１１と両側面板１２、１２と背面板１３に沿って開封用のテープ状切離部４が底面部２（若しくは折目ｄ）に対して離間した位置に連続して設けられている。
【００３６】
図１に示す本発明のディスプレイ兼用包装箱の箱本体Ａに刻切して設けたテープ状切離部４を切り取り除去することにより、該箱本体Ａは、天面部１と上部筒状側面部３ａとからなる上部箱体Ａ1 と、下部筒状側面部３ｂと底面部２とからなる下部箱体Ａ2 とに上下に切り離しでき、開封することができるようになっている。
【００３７】
本発明のディスプレイ兼用包装箱は、前記箱本体Ａにおける下部箱体Ａ2 の内面に、上部筒状側面部３ａの上端部より高く、天面部１の方向に細長く伸びる揺動可能な揺動ディスプレイ板５が設けられている。
【００３８】
前記揺動ディスプレイ板５は、図５に示すように、箱本体Ａの前記背面板１３に折目ｃを介して連設された前記貼着板１４の領域内に、該貼着板１４から側面板１２に対して非貼着状態にて切り離し可能に、前記折目ｃを介して連設されているものである。
【００３９】
さらに詳細に説明すれば、図５に示すように、揺動ディスプレイ板５は、基端部５ａ、中間部５ｂ、先端部５ｃからなり、背面板１３に折目ｃを介して連設した貼着板１４の領域内に、細長い揺動ディスプレイ板５の中間部５ｂの長さ方向に向かう該ディスプレイ板５の幅片側端部を形成する縦方向の切込部１４ａと、該切込部１４ａと交叉して、基端部５ａ及び前記テープ状切離部４のテープ端部となる水平方向の切込部１４ｂと、該揺動ディスプレイ板５先端部５ｃの切込部１４ｃとを刻切して設けられている。
【００４０】
そのため、揺動ディスプレイ板５は、切込部１４ａ、１４ｂ、１４ｃを介して貼着板１４本体から切り離し可能となっている。また、揺動ディスプレイ板５は、開封用のテープ状切離部４が底面部２（若しくは折目ｄ）に対して離間した位置に設けられているので、貼着板１４本体から切り離した後も、背面板１３に対しては、貼着板１４と共用する折目ｃを介して連設されていて一体になっている。なお、前記テープ状切離部４のテープ端部となる水平方向の切込部１４ｂに対してテープ状切離部４の幅相当に離間対向して、切込部１４ｄをテープ端部として必要に応じて刻切することが可能である。
【００４１】
上記貼着板１４を、他方の側面板１２の内面に重ね合わせて部分的に貼着して、正面板１１と両側面板１２、１２と背面板１３とによる筒状側面部３を形成する際には、貼着板１４本体部分と、揺動ディスプレイ板５の基端部５ａ部分（又はその基端部５ａのうち斜線部分）を貼着することにより、揺動ディスプレイ板５の基端部５ａより上部を上部箱体Ａ1 から分離させることができる。
【００４２】
図１に示す本発明のディスプレイ兼用包装箱は、テープ状切離部４を切り取り除去することにより、該箱本体Ａは、天面部１と上部筒状側面部３ａとからなる上部箱体Ａ1 と、下部筒状側面部３ｂと底面部２とからなる下部箱体Ａ2 とに上下に切り離し、図２に示すように開封させる。
【００４３】
本発明のディスプレイ兼用包装箱を開封した後の前記箱本体Ａにおける下部箱体Ａ2 の内面には、図２に示すように、上部筒状側面部３ａの上端部より高く、天面部１の方向に細長く伸びる揺動可能な揺動ディスプレイ板５が立設した状態に露呈する。
【００４４】
そして、前記包装箱内に収納包装されていた中身の商品を、下部箱体Ａ2 内に載せることにより、図２に示すように、立設している揺動ディスプレイ板５の先端部は、矢印に示すように、周りの風や振動によってゆらゆらと揺動して、商品のディスプレイ効果を醸し出す。そして、展示ディスプレイ専用に製作された展示用箱と同等の広告展示機能を備えたアイキャッチ用ツール、及び販売ツール等として、ディスプレイ兼用包装箱内の中身の商品に関する情報や広告情報を顧客にインパクトを持って伝達する。
【００４５】
本発明のディスプレイ兼用包装箱においては、底面部を構成する底面部形成板の構造や形態は特に限定するものではない。
【００４６】
例えば、前記底面部２を構成する底面部形成板の構造としては、図５に示すように、前記筒状側面部３の正面板１１、両側面板１２、１２、背面板１３の下端に、各々折目ｄを
介してそれぞれ底面板１１ｂ、１２ｂ、１２ｂ、１３ｂを連設し、該底面板１１ｂ、１３ｂに各々折目ｈを介してそれぞれ三角形状板１１ｃ、１３ｃを連設して、底面部形成板とするものである。
【００４７】
また、前記底面部２を構成する底面部形成板の構造としては、例えば、図６に示すように、前記筒状側面部３の両側面板１２、１２、背面板１３の下端に、各々折目ｄを介してそれぞれ底面板１２ｂ、１２ｂ、１３ｄを連設し、該底面板１３ｄに折目ｉを介して差込板１３ｅを連設し、該折目ｉに刻切した切込部１３ｆに差し込み係止する正面板１１の下端に差込板１１ｄを突出させて、天面部形成板とするものである。
【００４８】
また、本発明のディスプレイ兼用包装箱においては、天面部を構成する天面部形成板の構造や形態は特に限定するものではない。
【００４９】
例えば、天面部を構成する天面部形成板の構造としては、図５、図６に示すように、前記筒状側面部３の正面板１１又は背面板１３、両側面板１２、１２の上端に、各々折目ｅを介してそれぞれ天面板１６、天面フラップ板１２ａ、１２ａを連設し、前記天面板１６の上端に、折目ｇを介して差込板１６ａを連設して、天面部形成板とするものである。
【００５０】
本発明の紙製ディスプレイ兼用包装箱の組み立て方を、図５のブランクシートに基づいて、以下に説明すれば、まず、正面板１１、両側面板１２、１２、背面板１３の下端に折目ｄを介して連設した底面部形成板の底面板１１ｂ、１２ｂ、１２ｂ、１３ｂを、各々折目ｄを介して同一方向（図面山折り方向）に、それぞれ正面板１１、両側面板１２、１２、背面板１３上に折り返して重ね合わせる。
【００５１】
次に、底面板１１ｂ、１３ｂの三角形状板１１ｃ、１３ｃを、各々折目ｈを介して同一方向（図面山折り方向）に底面板１１ｂ、１３ｂ上に折り返して重ね合わせる。続いて、端部の側面板１２を折目ａを介して図面山折り方向に正面板１１上に折り返し、底面板１３ｂの三角形状板１３ｃと他方の底面板１２ｂとを貼着する。
【００５２】
続いて、背面板１３を折目ｂを介して正面板１１上に折り返した後、貼着板１４を端部の側面板１２と正面板１１との間（端部の側面板１２の下面）に挿入して、該貼着板１４に設けた揺動ディスプレイ板５の基端部５ａのうち折目ｃに沿う貼着部５ｄと、該該貼着板１４の折目ｃに沿う貼着部１４ｄとを、端部の側面板１２の外端部に貼着する。これにより揺動ディスプレイ板５（貼着部５ｄを除く基端部５ａと、中間部５ｂと、先端部５ｃ）は、端部の側面板１２に対して非貼着状態を保持して、天面部１と、立ち起こし形成可能な底部２と、平行四辺形状筒状体の側面部３とによる偏平状に折り畳まれた箱本体Ａを形成する。
【００５３】
続いて、平行四辺形状筒状体の偏平形状の側面部３を四角形状に立ち起こすことにより天面部１、底面部２、揺動ディスプレイ板５を内面に備えた側面部３からなる本発明の紙製ディスプレイ兼用包装箱が形成される。天面部１は、紙製ディスプレイ兼用包装箱の箱本体Ａ内に所定の内容物を装填した後に、天面フラップ板１２ａ、１２ａを各々折目ｅを介して箱内方に折り曲げ、天面板１６を折目ｅを介して箱内方に折り曲げ、折目ｇを介して折り曲げた差込板１６ａを差し込んで施蓋される。
【００５４】
次に、本発明包装箱の組み立て方を、図６のブランクシートに基づいて、以下に説明すれば、まず、貼着板１４と共に背面板１３を折目ｂを介して山折り方向に折り曲げて正面板１１上に折り重ね、続いて、端部の側面板１２を折目ａを介して前記貼着板１４上に折り重ね、該貼着板１４に設けた揺動ディスプレイ板５の基端部５ａのうち折目ｃに沿う貼着部５ｄと、該該貼着板１４の折目ｃに沿う貼着部１４ｄとを、端部の側面板１２の外端
部に貼着する。これにより揺動ディスプレイ板５（貼着部５ｄを除く基端部５ａと、中間部５ｂと、先端部５ｃ）は、端部の側面板１２に対して非貼着状態を保持して、天面部１と、立ち起こし形成可能な底部２と、平行四辺形状筒状体の側面部３とによる偏平状に折り畳まれた箱本体Ａを形成する。
【００５５】
続いて、平行四辺形状筒状体の偏平形状の側面部３を四角形状に立ち起こすことにより天面部１、底面部２、揺動ディスプレイ板５を内面に備えた側面部３からなる紙製ディスプレイ兼用包装箱が形成される。
【００５６】
底面部２は、底面フラップ板１２ｂ、１２ｂを各々折目ｄを介して箱内方に折り曲げ、底面板１３ｄを折目ｄを介して箱内方に折り曲げ、折目ｉを介して折り曲げた差込板１３ｅを差し込み、正面板１１の下端にある差込片１１ｄを差込板１３ｄの折目ｉに設けた切込部１３ｆ内に差し込んで固定保持することにより形成される。
【００５７】
天面部１は、紙製ディスプレイ兼用包装箱の箱本体Ａ内に所定の内容物を装填した後に天面フラップ板１２ａ、１２ａを各々折目ｅを介して箱内方に折り曲げ、天面板１６を折目ｅを介して箱内方に折り曲げ、折目ｇを介して折り曲げた差込板１６ａを差し込んで施蓋される。
【図面の簡単な説明】
【００５８】
【図１】本発明の紙製ディスプレイ兼用包装箱の一実施の形態を説明する全体斜視図。
【図２】本発明の紙製ディスプレイ兼用包装箱を開封した状態の一例を説明する全体斜視図。
【図３】本発明の包装箱を開封した状態の他の例を説明する全体斜視図。
【図４】本発明の包装箱を開封した状態のその他の例を説明する全体斜視図。
【図５】本発明の紙製ディスプレイ兼用包装箱の一例を説明するブランクシートの平面図。
【図６】本発明の紙製ディスプレイ兼用包装箱の他の例を説明するブランクシートの平面図。
【符号の説明】
【００５９】
Ａ…箱本体
１…天面部
２…底面部
３…筒状側面部
４…テープ状切離部
５…揺動ディスプレイ板
５ａ…基端部
５ｂ…中間部
５ｃ…先端部
１１…正面板
１２…側面板
１３…背面板
１４…貼着板
【図１】
2007161330.tif 000003
【図２】
2007161330.tif 000004
【図３】
2007161330.tif 000005
【図４】
2007161330.tif 000006
【図５】
2007161330.tif 000007
【図６】
2007161330.tif 000008